(57)【要約】【課題】被測定者本人が血糖値を上昇させる物質を摂取しない、あるいは介助者が血糖値を上昇させる物質を本人に付与しない場合にも、低血糖症を防止する低血糖症防止装置を提供する。【解決手段】低血糖症防止装置１は、被測定者の血糖値を測定する測定部１１と、測定された血糖値に基づいて被測定者が低血糖傾向にあるか否かを判定する判定部１３と、被測定者が低血糖傾向であると判定された場合、血糖値を上昇させる物質を被測定者に供給する供給部１４とを備える。【選択図】図１
2019037398.tif 000002
【特許請求の範囲】
【請求項１】
被測定者の血糖値を測定する測定部と、
測定された該血糖値に基づいて前記被測定者が低血糖傾向にあるか否かを判定する判定部と、
前記被測定者が低血糖傾向であると判定された場合、血糖値を上昇させる物質を前記被測定者に供給する供給部と
を備えることを特徴とする低血糖症防止装置。
【請求項２】
請求項１に記載の低血糖症防止装置であって、
前記血糖値を上昇させる物質が前記供給部から前記被測定者に供給されない場合、前記血糖値を上昇させる物質が前記被測定者に供給されていない旨を前記被測定者に通知する通知部をさらに備えることを特徴とする低血糖症防止装置。
【請求項３】
請求項１または２に記載の低血糖症防止装置であって、
前記供給部が、前記被測定者の頭に装着されて前記血糖値を上昇させる物質を前記被測定者に供給することを特徴とする低血糖症防止装置。
【請求項４】
請求項１または２に記載の低血糖症防止装置であって、
前記供給部が、前記被測定者の耳に装着されて前記血糖値を上昇させる物質を前記被測定者に供給することを特徴とする低血糖症防止装置。
【請求項５】
請求項１または２に記載の低血糖症防止装置であって、
前記供給部が、前記被測定者の首に装着されて前記血糖値を上昇させる物質を前記被測定者に供給することを特徴とする低血糖症防止装置。
【発明の詳細な説明】
【技術分野】
【０００１】
本発明は、被測定者の低血糖症を回避するのに好適な低血糖症防止装置に関する。
【背景技術】
【０００２】
低血糖症とは血糖値が低下する状態をいい、低血糖症状には、自律神経症状、中枢神経症状、大脳機能低下症状がある。自律神経症状は、血糖値が急激に低下する場合に見られ、空腹感、体のだるさ、ふらふら感、冷や汗、手のふるえ、動悸、不安感、頭痛等が現れる。中枢神経症状は、さらに血糖値が低い場合に見られ、眠気、脱力、めまい、集中力の低下、混乱、見当まちがい、元気がなくなる、イライラ、ぎこちない動作、普段とは違う言動、発語障害等が現れる。大脳機能低下症状は、さらに血糖値が低い場合に見られ、意識障害、けいれん、昏睡等が現れる。
【０００３】
また、低血糖症を繰り返すと、大脳機能低下症状の現れる閾値が低くなり、被測定者本人が症状を自覚できないまま大脳機能低下症状が現れる場合がある（無自覚性低血糖ともいう）。この症状が介助者のいない状況下で現れると、本人の生死に関わることがある。そこで、無自覚性低血糖の対策として、例えば、特許文献１には、血糖値を頻繁に測定可能な装置の技術が開示されている。
【先行技術文献】
【特許文献】
【０００４】
【特許文献１】特許第４８５３２０７号
【発明の概要】
【発明が解決しようとする課題】
【０００５】
しかしながら、特許文献１の技術では、血糖値が低下傾向にあることを単に装置の周囲に知らせるだけであり、これでは、被測定者本人が血糖値を上昇させる物質（例えばブドウ糖）を摂取しない限り、あるいは、本人が気づかない場合には、介助者が血糖値を上昇させる物質を本人に与えない限り、低血糖症を回避できないという問題がある。
【０００６】
本発明は、上述のような実情に鑑みてなされたもので、被測定者本人が血糖値を上昇させる物質を摂取しない、あるいは介助者が血糖値を上昇させる物質を本人に与えない場合にも、低血糖症を防止する低血糖症防止装置を提供することを目的とする。
【課題を解決するための手段】
【０００７】
上記課題を解決するために、本発明の第１の技術手段は、被測定者の血糖値を測定する測定部と、測定された該血糖値に基づいて前記被測定者が低血糖傾向にあるか否かを判定する判定部と、前記被測定者が低血糖傾向であると判定された場合、血糖値を上昇させる物質を前記被測定者に供給する供給部とを備えることを特徴としたものである。
【０００８】
第２の技術手段は、第１の技術手段において、前記血糖値を上昇させる物質が前記供給部から前記被測定者に供給されない場合、前記血糖値を上昇させる物質が前記被測定者に供給されていない旨を前記被測定者に通知する通知部をさらに備えることを特徴としたものである。
【０００９】
第３の技術手段は、第１または第２の技術手段において、前記供給部が、前記被測定者の頭に装着されて前記血糖値を上昇させる物質を前記被測定者に供給することを特徴としたものである。
【００１０】
第４の技術手段は、第１または第２の技術手段において、前記供給部が、前記被測定者の耳に装着されて前記血糖値を上昇させる物質を前記被測定者に供給することを特徴としたものである。
【００１１】
第５の技術手段は、第１または第２の技術手段において、前記供給部が、前記被測定者の首に装着されて前記血糖値を上昇させる物質を前記被測定者に供給することを特徴としたものである。
【発明の効果】
【００１２】
本発明によれば、被測定者が低血糖症になると予想される場合には、自動的に、血糖値を上昇させる物質を被測定者に供給するので、被測定者が摂取行動を採らないとき、あるいは、被測定者が気づかない場合には、介助者が被測定者に与えないときでも、被測定者が低血糖症になるのを防止することができる。
【図面の簡単な説明】
【００１３】
【図１】本発明の一実施例による低血糖症防止装置の構成図である。
【図２】第１実施形態の供給部を説明するための図である。
【図３】低血糖症防止装置の動作フローチャートである。
【図４】第２実施形態の供給部を説明するための図である。
【図５】第３実施形態の供給部を説明するための図である。
【図６】第４実施形態による動作フローチャートである。
【発明を実施するための形態】
【００１４】
以下、添付図面を参照しながら、本発明の低血糖症防止装置に係る好適な実施の形態について説明する。
図１は、本発明の一実施例による低血糖症防止装置の構成図である。低血糖症防止装置１は、制御部１０、測定部１１、記憶部１２、判定部１３、供給部１４、貯留部１５、通知部１６を有し、これらはバスを介して接続される。
【００１５】
制御部１０は、例えば１あるいは複数個のＣＰＵ（Ｃｅｎｔｒａｌ  Ｐｒｏｃｅｓｓｉｎｇ  Ｕｎｉｔ）等からなり、記憶部１２の例えばＲＯＭに格納されている各種のプログラムやデータをＲＡＭにロードし、このロードしたＲＡＭ内のプログラムを実行する。これにより、低血糖症防止装置１の動作を制御できる。
測定部１１は、被測定者の血糖値を例えば連続的に測定可能に構成されている。これにより、被測定者の血糖値を常に管理することができる。なお、例えば５分間隔で測定するような、血糖値を間欠的に測定することも可能である。
【００１６】
また、測定部１１は、例えば被測定者の指に取り付けられ、被測定者の血液を採取可能に形成されており、血液中におけるグルコース量または濃度から血糖値を測定する。血糖値は非侵襲で測定することもできる。例えば被測定者の汗、尿、唾液等の生体液を採取し、この生体液から血液中におけるグルコース量または濃度を示す値に変換すれば、血糖値を測定可能である。
【００１７】
記憶部１２は、測定部１１の測定値を履歴１２ａとして記憶する。また、記憶部１２には、ボーダーライン１２ｂも記憶される。ボーダーライン１２ｂは、例えば血糖値の低下速度に相当し、例えば３０分間で２０ｍｇ／ｄｌ低下するような値に設定され、被測定者が低血糖傾向にあるか否かを判定するために用いられる。ボーダーライン１２ｂは個人差があるため、所定値（例えば３０分間で２０ｍｇ／ｄｌ低下）をボーダーライン１２ｂのデフォルト値に設定し、履歴１２ａから被測定者の低血糖傾向に沿うように変更可能である。
【００１８】
判定部１３は、測定部１１による測定値の低下速度とボーダーライン１２ｂとを比較し、測定値の低下速度がボーダーライン１２ｂを超えている場合に、被測定者が低血糖傾向にあると判定する。
貯留部１５には、血糖値を上昇させる物質（例えばブドウ糖）が貯留されており、判定部１３で被測定者が低血糖傾向であると判定された場合、供給部１４が、血糖値を上昇させる物質を被測定者に供給する。
【００１９】
通知部１６は、例えば血糖値を上昇させる物質が供給部１４から被測定者に供給されないと判定された場合に起動する。そして、後述のように、血糖値を上昇させる物質が貯留部１５に無い旨、あるいは、供給部１４が故障している旨を被測定者に通知可能である。通知は、警告音、音声を出力してもよく、あるいは、表示部（図示省略）に文字や記号を表示することも可能である。なお、通知部１６は、血糖値を上昇させる物質が供給された場合に起動してもよい。
【００２０】
（第１実施形態）
図２は、第１実施形態の供給部を説明するための図である。
第１実施形態の供給部１４はインカム型であり、被測定者の頭に装着可能な保持部３０を有する。詳しくは、保持部３０は、例えば樹脂製で略Ｃ字状に湾曲して形成されている。保持部３０の一端（例えば供給部１４の正面からみて右端）には支持部３１が設けられ、支持部３１からは、血糖値を上昇させる物質を供給するためのホース２１が延びている。なお、ホース２１は、硬質の樹脂で形成され、供給ユニット２２を支持することができる。
【００２１】
低血糖症防止装置１の小型化を図るために、図１で説明した制御部１０、記憶部１２、判定部１３、通知部１６などは、例えば保持部３０あるいは支持部３１に設けられる。
供給ユニット２２は、例えば被測定者の鼻から口に対向する位置に設けられ、ホース２１に連通する供給口（図示省略）を有する。例えば、血糖値を上昇させる物質が液体であり、被測定者の鼻から供給（経鼻）する場合、供給口は、例えば鼻に対向する位置に複数形成され、鼻に向けて霧状に噴射可能である。
【００２２】
図２の例では、血糖値を上昇させる物質が液体を想定しており、支持部３１からはホース２０が延びている。ホース２０は軟質の樹脂で形成され、ホース２０の一端は支持部３１内でホース２１に連通し、ホース２０の他端は貯留部１５に接続される。貯留部１５には、例えばポンプ１４ａが設置され、貯留部１５内の血糖値を上昇させる物質を供給ユニット２２に送出できる。
【００２３】
このように、供給部１４をインカム型にすれば、被測定者の両手は自由になり、別の作業を行えるので便利である。
なお、血糖値を上昇させる物質は固体でもよい。この場合、血糖値を上昇させる物質を例えば供給ユニット２２内に貯留しておき、被測定者の口から供給（経口）する。この例によれば、ホース２０、貯留部１５、ポンプ１４ａを省略できる。
【００２４】
図３は、低血糖症防止装置の動作フローチャートである。
例えば測定部１１を被測定者の指に、供給部１４を被測定者の頭にそれぞれ装着し、測定部１１が血糖値を測定する（ステップＳ１０１）。
次に、判定部１３が、測定値の低下速度がボーダーライン１２ｂを超えているか否かを判別する（ステップＳ１０２）。この測定値の低下速度がボーダーライン１２ｂを超えていると判定した場合（ステップＳ１０２のＹＥＳ）、供給部１４が駆動する（ステップＳ１０３）。これにより、貯留部１５に貯えられた血糖値を上昇させる物質が被測定者に供給される。１回の供給量は、被測定者の性別、体重、症状に応じて適宜変更されるが、例えば、ブドウ糖を１０ｇ程度、水溶液であれば１５０ｍｌ程度である。
【００２５】
一方、測定値の低下速度がボーダーライン１２ｂを超えていない場合（ステップＳ１０２のＮＯ）、一連のルーチンを抜ける。
このように、測定値の低下速度がボーダーライン１２ｂを超えており、判定部１３によって、被測定者が低血糖症になると予想される場合には、自動的に、血糖値を上昇させる物質を被測定者に供給するので、被測定者が摂取行動を採らないとき、あるいは、被測定者が気づかない場合には、介助者が被測定者に与えないときでも、被測定者が低血糖症になるのを防止することができる。
【００２６】
（第２実施形態）
図４は、第２実施形態の供給部を説明するための図である。
第１実施形態ではインカム型の供給部の例を挙げて説明したが、本発明はこの例に限定されない。例えば、図４に示すようなマスク型の供給部１４であってもよい。この場合、被測定者の耳に装着可能な保持部３０を有している。詳しくは、保持部３０は、耳への負担を減らすために例えばゴム製あるいは軟質の樹脂製で形成されており、供給部１４の正面からみて供給ユニット２２の左右両側にそれぞれ設けられている。
【００２７】
供給ユニット２２は、例えば被測定者の鼻から口に対向する位置に設けられる。血糖値を上昇させる物質が液体の場合、供給口（図示省略）は、経鼻であれば、鼻に対向する位置に形成され、経口であれば、口に対向する位置に形成される。
一方、血糖値を上昇させる物質が固体の場合には、図４に示したホース２１を省略し、血糖値を上昇させる物質を例えば供給ユニット２２内に貯留しておき、被測定者の口から供給（経口）してもよい。このようなマスク型でも被測定者の両手が自由になる。
【００２８】
（第３実施形態）
図５は、第３実施形態の供給部を説明するための図である。
供給部１４は、図５に示すようなアクセサリー型にすることも可能である。この場合、被測定者の首に装着可能な保持部３０を有する。保持部３０は、例えば軟質の樹脂製で１本の紐状に形成され、その両端が長さ調整部３２に通されており、長さ調整部３２の位置を変えることにより、保持部３０が形成する輪の大きさを変更できる。
【００２９】
供給部１４の正面側には、支持部３１が設けられ、供給ユニット２２は、支持部３１から上方に延びて、例えば被測定者の鼻から口に対向する位置に設けられる。第３実施形態の供給ユニット２２も経鼻や経口に対応可能である。なお、血糖値を上昇させる物質が固体の場合には、図５に示したホース２１を省略できる。このようなアクセサリー型でも被測定者の両手が自由になる。
【００３０】
なお、上記各実施形態では、被測定者に直接に装着できる供給部１４を説明した。しかし、供給部は、例えば寝たきり患者のベットサイドに設置することも可能である。
【００３１】
（第４実施形態）
図６は、第４実施形態による動作フローチャートである。
上述のように、供給部１４が駆動すれば、血糖値を上昇させる物質が被測定者に供給され、被測定者が摂取すると、被測定者の血糖値は上昇する。しかし、被測定者への供給を失敗することも想定される。血糖値を上昇させる物質が被測定者に供給されない状態を放置すると、被測定者の生死に関わることがある。そこで、血糖値を上昇させる物質の供給が失敗していることを知らせるとよい。
【００３２】
具体的には、供給部１４が駆動した後、測定部１１が血糖値を測定する（ステップＳ２０１）。次に、判定部１３が、測定値が前回の測定値（前回値）以下であるか否かを判別する（ステップＳ２０２）。被測定者の血糖値が上昇しており、測定値が前回値以下ではないと判定した場合（ステップＳ２０２のＮＯ）、供給部１４を駆動停止する（ステップＳ２０３）。
【００３３】
一方、被測定者の血糖値が上昇しておらず、測定値が前回値以下であると判定した場合（ステップＳ２０２のＹＥＳ）、さらに判定部１３は、例えば貯留部１５の重さまたは貯留部１５内の血糖値を上昇させる物質の量から、血糖値を上昇させる物質が貯留部１５に残っているか否かを判別する（ステップＳ２０４）。
血糖値を上昇させる物質が貯留部１５に残っていないと判定した場合（ステップＳ２０４のＮＯ）、通知部１６は、血糖値を上昇させる物質が貯留部１５に無い旨を被測定者に通知する（ステップＳ２０５）。これに対し、血糖値を上昇させる物質が貯留部１５に残っていると判定した場合（ステップＳ２０４のＹＥＳ）、通知部１６は、供給部１４が故障している旨を被測定者に通知する（ステップＳ２０６）。
【００３４】
このように、血糖値を上昇させる物質の供給を失敗した場合には、被測定者に通知するため、被測定者あるいは介助者が、血糖値を上昇させる物質が被測定者に供給されていないことを認識することができる。よって、この点も被測定者の低血糖症の発生防止に貢献する。
【００３５】
上記各実施形態では、血糖値を上昇させる物質を経鼻や経口で供給する例を挙げて説明した。しかし、本発明は経鼻や経口で供給するものに限定されない。例えば、血糖値を上昇させる物質をパッチに塗布しておき、このパッチを例えば被測定者の腕に貼付するように、被測定者の皮膚から供給（経皮）してもよい。もしくは、血糖値を上昇させる物質を被測定者の例えば肛門から供給（経腸）することも可能である。または、血管に直に供給すれば即効性があることから、例えば注射器を用いて、被測定者の静脈から供給（経静脈）してもよい。あるいは、血糖値を上昇させる物質を供給するためのポートを被測定者の身体に予め設けておき、このポートを介して被測定者の腸から供給（経腸）または静脈から供給（経静脈）してもよい。
【符号の説明】
【００３６】
１…低血糖症防止装置、１０…制御部、１１…測定部、１２…記憶部、１２ａ…履歴、１２ｂ…ボーダーライン、１３…判定部、１４…供給部、１４ａ…ポンプ、１５…貯留部、１６…通知部、２０，２１…ホース、２２…供給ユニット、３０…保持部、３１…支持部、３２…長さ調整部。
【図１】
2019037398.tif 000003
【図２】
2019037398.tif 000004
【図３】
2019037398.tif 000005
【図４】
2019037398.tif 000006
【図５】
2019037398.tif 000007
【図６】
2019037398.tif 000008